(57)【要約】【課題】挿入する媒体がカートリッジであるかベアディスクであるかは関係なくローディングし、且つ、このローディングによってベアディスクやカートリッジに収納されたディスクの記録再生面に傷や汚れが生じるのを抑える。【解決手段】光ディスク装置には、ベアディスク２とカートリッジ３との両方を挿脱可能な挿脱口１２が設けられ、ベアディスク２をその外面２１で保持するディスク保持部材４と、カートリッジ３を保持するとともにカートリッジ３を挿脱口１２と装填位置１３との間で搬送させるカートリッジ保持搬送部材５が設けられている。また、ディスク保持部材４は、カートリッジ保持搬送部材５内に設けられている。さらに、シャーシ１内には、ベアディスク２を挿入した際、ディスク保持部材４によりベアディスク２の形状に沿ったディスク保持空間６が形成される。【選択図】  図１
2005149615.tif 000002
【特許請求の範囲】
【請求項１】
本体筐体に、各種情報の記録再生のうち少なくとも再生が可能な円板状のディスク単体と、各種情報の記録再生のうち少なくとも再生が可能な円板状のディスクが内部に収納されたカートリッジとの両方を挿脱可能な挿脱口が設けられ、前記ディスク単体または前記カートリッジを前記挿脱口から本体筐体内に挿入し、挿入した前記ディスク単体または前記カートリッジを各種情報の記録再生のうち少なくとも再生を行なう位置である装填位置まで搬送して、搬送した前記ディスク単体または前記ディスクから各種情報の記録再生のうち少なくとも再生を行ない、その後に前記ディスク単体または前記カートリッジを前記挿脱口から排出するディスク装置において、
前記ディスク単体をその外面で保持するディスク保持部材が設けられ、
前記ディスク単体を挿入した際、前記本体筐体内には前記ディスク保持部材により前記ディスク単体形状に沿ったディスク保持空間が形成されることを特徴とするディスク装置。
【請求項２】
請求項１に記載のディスク装置において、
前記カートリッジを保持するとともに、前記カートリッジを前記挿脱口と前記装填位置との間で搬送させるカートリッジ保持搬送部材が設けられ、かつ、このカートリッジ保持搬送部材内に前記ディスク保持部材が設けられ、
前記カートリッジを挿入する場合、前記カートリッジの挿入に伴って前記カートリッジの挿入側先端面により前記ディスク保持部材が挿入方向に押出されることを特徴とするディスク装置。
【請求項３】
請求項２に記載のディスク装置において、
前記ディスク保持部材は一対で構成され、この一対のディスク保持部材は前記カートリッジ保持搬送部材の搬送方向両側部に設けられ、
前記カートリッジ保持搬送部材には、前記挿脱口と前記装填位置との間の搬送方向に沿って前記ディスク保持部材を摺動させる案内溝が設けられ、
前記一対のディスク保持部材には、それぞれ前記案内溝に嵌める軸が設けられたことを特徴とするディスク装置。
【請求項４】
請求項３に記載のディスク装置において、
前記一対のディスク保持部材は、バネによって連結されるとともに予め設定した軸を中心に回動され、かつ、前記バネにより前記排出方向に付勢されることを特徴とするディスク装置。
【請求項５】
請求項４に記載のディスク装置において、
前記カートリッジ保持搬送部材の搬送方向両側部には開口部が形成され、
前記ディスク保持部材には、前記ディスク単体の挿入の際、前記保持部材の前記軸を中心とした回動により前記開口部を挿通する突起部が設けられ、前記突起部は、その先端が折曲形成され、
前記突起部が前記開口部を挿通した際に、前記突起部の先端が係合する係合部材が設けられたことを特徴とするディスク装置。
【請求項６】
請求項５に記載のディスク装置において、
ローディング機構の電源をオンオフさせるスイッチが設けられ、かつ、前記カートリッジ保持搬送部材には、前記開口部が設けられた搬送方向両側部のうち少なくとも一面に舌部が設けられ、
前記ディスク単体の挿脱の際、前記突起部の先端の前記係合部材への係合によって前記スイッチによる前記ローディング機構の電源のオンオフがされ、
前記カートリッジの挿脱の際、前記カートリッジ保持搬送部材の前記搬送方向の往復移動に伴う前記舌部によって前記スイッチによる前記ローディング機構の電源のオンオフがされることを特徴とするディスク装置。
【請求項７】
請求項５に記載のディスク装置において、
前記カートリッジ保持搬送部材の前記搬送方向両端部に臨む前記ディスク保持部材の側面が、前記ディスク保持空間に向けて折曲形成され、その折曲角度は、１８０度から前記軸を中心に回動する前記ディスク保持部材の回動可能な角度を引いた角度であることを特徴とするディスク装置。
【請求項８】
請求項１に記載のディスク装置において、
前記ディスク保持部材の前記ディスク単体に臨む面には、ディスク保護部材が形成されていることを特徴とするディスク装置。
【請求項９】
請求項１に記載のディスク装置において、
前記ディスク保持部材は、ディスク保護部材から構成されていることを特徴とするディスク装置。
【発明の詳細な説明】
【技術分野】
【０００１】
本発明は、光ディスクなどのディスク単体（以下、ベアディスクという）と、光ディスクなどのディスクが収納されたカートリッジと、の両方の媒体をローディングするディスク装置に関する。
【背景技術】
【０００２】
近年、マルチメディア社会における重要な記録媒体として、従前の光ディスクに比べ遙かに記録容量が増量されたＢＤ（Ｂｌｕ−ｒａｙ  Ｄｉｓｋ）が開発され、注目されている。
【０００３】
このＢＤは、書き換え可能であり、現行ではカートリッジにディスクが収納されたＢＤ−ＲＥ規格が採用され、また、この規格に加え、再生専用のディスク規格が提案されようとしている。
【０００４】
この再生専用のものは、カートリッジに収納されていないベアディスクも規格化される可能性がある。そのため、今後、ディスク装置としては、カートリッジに対応させたものだけではなく、ベアディスクにも対応させる必要がある。この状況は、現在普及しているＤＶＤにおいても同じである。そのため、現在では、カートリッジにディスクが収納されたＤＶＤ−ＲＡＭと、通常のベアディスクであるＤＶＤの両方に対応させたディスク装置が開発されている（例えば、特許文献１、２ご参照。）。
【０００５】
下記する特許文献１に開示のディスク装置は、トレイ方式のディスク装置であり、トレイ方式のローディング構造にカートリッジも装着できるようにしたものである。
【０００６】
しかしながら、下記する特許文献１に開示のディスク装置によれば、ベアディスクとカートリッジとがローディング可能となっているが、次に示すような問題点がある。
【０００７】
すなわち、トレイ方式のディスク装置によれば、トレイを装置から一旦出現させた後で、ベアディスクまたはカートリッジをローディングすることとなり、時間がかかる。また、トレイへベアディスクまたはカートリッジを配する際、トレイ部分を破損させる場合がある。
【０００８】
そこで、従前に、これら問題点を解決したディスク装置があり、例えば、下記する特許文献２に開示するようなディスク装置などがこれに該当する。すなわち、この下記する特許文献２に開示の光ディスク装置では、トレイ方式のディスク装置と比較して操作性の向上のさせるために、スロットイン方式でのカートリッジ、ベアディスクの両方のローディングを可能としたものである。
【０００９】
この下記する特許文献２に開示のスロットイン方式の光ディスク装置におけるローディング工程を、図１０〜１３を用いて説明する。なお、図１０〜１３は、スロットイン方式のローディング工程を示すものである。
【００１０】
まず、このスロットイン方式の光ディスク装置（図示省略）にカートリッジ３をローディングしてカートリッジ３から各種情報を記録再生する場合を説明する。
【００１１】
図１０に示すディスク装置の開口部９１からカートリッジ３を装置内に挿入する。開口部９１から挿入したカートリッジ３は、図１０に示すように、駆動ローラ９２と押圧ローラ９３によりその上下面３３が押圧されながら挟持される。そして、カートリッジ３は、駆動ローラ９２と押圧ローラ９３により挟持された状態で、装置内の所定位置へ搬送される。なお、ここでいう駆動ローラ９２は軸（図示省略）が固定されており、上下方向（図１０（ｃ）に示す矢印上下方向）には可動、すなわち昇降しない構造となっている。また、押圧ローラ９３は、上下方向（矢印上下方向）に昇降する構造からなり、矢印下方向に付勢されている。
【００１２】
カートリッジ３が装置内の所定位置に搬送されると、図１１に示すように、ピックアップ８１とスピンドルモータ８２等を搭載するメカニズム８が矢印上方向へ上昇し、カートリッジ３に収納されたディスク２がスピンドルモータ８２にチャッキングされる。そして、スピンドルモータ８２にチャッキングされたカートリッジ３は、記録再生可能な状態となり、カートリッジ３から各種情報の記録再生が行われる。
【００１３】
カートリッジ３から各種情報の記録再生が行われた後に、メカニズム８が矢印下方向へ下降し、カートリッジ３に収納されたディスク２へのスピンドルモータ８２によるチャッキングが解除される。チャッキング解除されたカートリッジ３は、駆動ローラ９２と押圧ローラ９３によりその上下面３３が押圧されながら挟持される。そして、カートリッジ３は、図１０に示すように、駆動ローラ９２と押圧ローラ９３により挟持された状態で開口部９１に搬送され、開口部９１から装置外へ排出される。
【００１４】
次に、このスロットイン方式の光ディスク装置にベアディスク２をローディングしてベアディスク２から各種情報を記録再生する場合を説明する。
【００１５】
図１２に示すディスク装置の開口部９１からベアディスク２を装置内に挿入する。開口部９１から挿入したベアディスク２は、図１２に示すように、駆動ローラ９２と押圧ローラ９３によりその記録再生面２２が押圧されながら挟持される。そして、ベアディスク２は、駆動ローラ９２と押圧ローラ９３により挟持された状態で、装置内の所定位置へ搬送される。
【００１６】
ベアディスク２が装置内の所定位置に搬送されると、図１３に示すように、ピックアップ８１とスピンドルモータ８２等を搭載するメカニズム８が矢印上方向（図１３参照）へ上昇し、ベアディスク２に収納されたディスク２がスピンドルモータ８２にチャッキングされる。この際、押圧ローラ９３が矢印上方向へ上昇する。そして、スピンドルモータ８２にチャッキングされたベアディスク２は、記録再生可能な状態となり、ベアディスク２から各種情報の記録再生が行われる。
【００１７】
ベアディスク２から各種情報の記録再生が行われた後に、メカニズム８が矢印下方向（図１２参照）へ下降し、ベアディスク２に収納されたディスク２へのスピンドルモータ８２によるチャッキングが解除される。この際、押圧ローラ９３が矢印下方向へ上昇する。
【００１８】
チャッキング解除されたベアディスク２は、駆動ローラ９２と押圧ローラ９３によりその記録再生面２２が押圧されながら挟持される。そして、ベアディスク２は、図１２に示すように、駆動ローラ９２と押圧ローラ９３により挟持された状態で開口部９１に搬送され、開口部９１から装置外へ排出される。
【特許文献１】特開平７−１６１１１２号公報
【特許文献２】特開平９−２５１６９５号公報
【発明の開示】
【発明が解決しようとする課題】
【００１９】
しかしながら、図１０〜１３に示すような従前のスロットイン方式の光ディスク装置では、挿入する媒体がカートリッジ３であるかベアディスク２であるかは関係なくローラ（駆動ローラ９２、押圧ローラ９３）によって挿入する媒体の記録再生面２２もしくは上下面３７（カートリッジ３）を押圧する。すなわち、図１２、１３に示すように、ベアディスク２のローディングの場合、ローラ（駆動ローラ９２、押圧ローラ９３）がベアディスク２の記録再生面２２を押圧しているため、その押圧によりベアディスク２の記録再生面２２を傷めたり、ベアディスク２の記録再生面２２に付着していたもしくはローラ（駆動ローラ９２、押圧ローラ９３）に付着していた汚れをベアディスク２の記録再生面２２に押し付けたりする。そのため、ベアベアディスク２から各種情報を記録再生するのに支障をきたす可能性が高い。
【００２０】
そこで、上記課題を解決するために、本発明は、挿入する媒体がカートリッジであるかベアディスクであるかは関係なくローディングし、且つ、このローディングによってベアディスクやカートリッジに収納されたディスクの記録再生面に傷や汚れが生じるのを抑えるディスク装置を提供することを目的とする。
【課題を解決するための手段】
【００２１】
上記の目的を達成するため、本発明に係るディスク装置は、本体筐体に、各種情報の記録再生のうち少なくとも再生が可能な円板状のディスク単体（ベアディスク）と、各種情報の記録再生のうち少なくとも再生が可能な円板状のディスクが内部に収納されたカートリッジとの両方を挿脱可能な挿脱口が設けられ、前記ベアディスクまたは前記カートリッジを前記挿脱口から本体筐体内に挿入し、挿入した前記ベアディスクまたは前記カートリッジを各種情報の記録再生のうち少なくとも再生を行なう位置である装填位置まで搬送して、搬送した前記ベアディスクまたは前記ディスクから各種情報の記録再生のうち少なくとも再生を行ない、その後に前記ベアディスクまたは前記カートリッジを前記挿脱口から排出するディスク装置において、前記ベアディスクをその外面で保持するディスク保持部材が設けられ、前記ベアディスクを挿入した際、前記本体筐体内には前記ディスク保持部材により前記ベアディスク形状に沿ったディスク保持空間が形成されることを特徴とする。
【００２２】
本発明によれば、ディスク保持部材が設けられ、ベアディスクを挿入した際、本体筐体内にはディスク保持部材によりベアディスク形状に沿ったディスク保持空間が形成されるので、挿入する媒体がカートリッジであるかベアディスクであるかは関係なくローディングすることが可能となるだけでなく、さらに、ローディングによってベアディスクやカートリッジに収納されたディスクの記録再生面に傷や汚れが生じるのを抑えることが可能となる。すなわち、本発明によれば、上記した図１０〜図１３に示すディスク装置と異なり、ローラによって挿入する媒体を直接押圧するものではないので、ローディングによってベアディスクやカートリッジに収納されたディスクの記録再生面に傷や汚れが生じるのを抑えることが可能となる。
【００２３】
なお、本明細書では、ディスク単体（ベアディスク）とディスクというように、各種情報の記録再生のうち少なくとも再生が可能な円板状媒体を異なる語句で表現しているが、これは、文言上の混同を避けるために用いているだけである。すなわち、ベアディスクとディスクとが、同一の媒体であってもよく、異なる媒体であってもよい。また、なお、ベアディスクの外面は、記録再生面と外周縁とから構成されている。
【００２４】
上記構成において、上記カートリッジを保持するとともに、上記カートリッジを上記挿脱口と上記装填位置との間で搬送させるカートリッジ保持搬送部材が設けられ、かつ、このカートリッジ保持搬送部材内に上記ディスク保持部材が設けられ、上記カートリッジを挿入する場合、上記カートリッジの挿入に伴って上記カートリッジの挿入側先端面により上記ディスク保持部材が挿入方向に押出されてもよい。
【００２５】
この場合、カートリッジ保持搬送部材が設けられ、かつ、このカートリッジ保持搬送部材内にディスク保持部材が設けられ、カートリッジを挿入する場合、カートリッジの挿入に伴ってカートリッジの挿入側先端面によりディスク保持部材が挿入方向に押出されるので、挿入する媒体がカートリッジであるかベアディスクであるかは関係なく同一の挿脱口から挿入することが可能となる。
【００２６】
上記構成において、上記ディスク保持部材は一対で構成され、この一対のディスク保持部材は上記カートリッジ保持搬送部材の搬送方向両側部に設けられ、上記カートリッジ保持搬送部材には、上記挿脱口と上記装填位置との間の搬送方向に沿って上記ディスク保持部材を摺動させる案内溝が設けられ、上記一対のディスク保持部材には、それぞれ上記案内溝に嵌める軸が設けられてもよい。
【００２７】
この場合、ディスク保持部材は一対で構成され、この一対のディスク保持部材はカートリッジ保持搬送部材の搬送方向両側部に設けられ、カートリッジ保持搬送部材には、ディスク保持部材を摺動させる案内溝が設けられ、一対のディスク保持部材には、それぞれ案内溝に嵌める軸が設けられているので、挿入する媒体がカートリッジであるかベアディスクであるかは関係なくディスク保持部材とカートリッジ保持搬送部材により共通のローディングを行なうことが可能となる。
【００２８】
上記構成において、上記一対のディスク保持部材は、バネによって連結されるとともに予め設定した軸を中心に回動され、かつ、上記バネにより上記排出方向に付勢されていてもよい。
【００２９】
この場合、一対のディスク保持部材が、バネによって連結されるとともに予め設定した軸を中心に回動され、かつ、バネにより排出方向に付勢されているので、ベアディスクを挿脱口から排出する際、バネの付勢力により一対のディスク保持部材が軸を中心に回動されてベアディスクを挿脱口から排出させることが更に容易となる。
【００３０】
上記構成において、上記カートリッジ保持搬送部材の搬送方向両側部には開口部が形成され、上記ディスク保持部材には、上記ベアディスクの挿入の際、上記保持部材の上記軸を中心とした回動により上記開口部を挿通する突起部が設けられ、上記突起部は、その先端が折曲形成され、上記突起部が上記開口部を挿通した際に、上記突起部の先端が係合する係合部材が設けられてもよい。
【００３１】
この場合、カートリッジ保持搬送部材の搬送方向両側部には開口部が形成され、ディスク保持部材には、突起部が設けられ、突起部は、その先端が折曲形成され、突起部が開口部を挿通した際に、突起部の先端が係合する係合部材が設けられているので、バネの付勢力により一対のディスク保持部材が軸を中心に回動されてベアディスク挿入時にベアディスクが挿脱口から排出されるのを防止することが可能となる。
【００３２】
上記構成において、ローディング機構の電源をオンオフさせるスイッチが設けられ、かつ、上記カートリッジ保持搬送部材には、上記開口部が設けられた搬送方向両側部のうち少なくとも一面に舌部が設けられ、上記ベアディスクの挿脱の際、上記突起部の先端の上記係合部材への係合によって上記スイッチによる上記ローディング機構の電源のオンオフがされ、上記カートリッジの挿脱の際、上記カートリッジ保持搬送部材の上記搬送方向の往復移動に伴う上記舌部によって上記スイッチによる上記ローディング機構の電源のオンオフがされてもよい。
【００３３】
この場合、ローディング機構の電源をオンオフさせるスイッチが設けられ、かつ、カートリッジ保持搬送部材に舌部が設けられ、ベアディスクの挿脱の際、突起部の先端の係合部材への係合によってスイッチによるローディング機構の電源のオンオフがされ、カートリッジの挿脱の際、カートリッジ保持搬送部材の搬送方向の往復移動に伴う舌部によってスイッチによるローディング機構の電源のオンオフがされるので、挿入する媒体がカートリッジであるかベアディスクであるかは関係なくスイッチによるローディング機構の電源のオンオフが可能となる。
【００３４】
上記構成において、上記カートリッジ保持搬送部材の上記搬送方向両端部に臨む上記ディスク保持部材の側面が、上記ディスク保持空間に向けて折曲形成され、その折曲角度は、１８０度から上記軸を中心に回動する上記ディスク保持部材の回動可能な角度を減算した角度であってもよい。
【００３５】
この場合、カートリッジ保持搬送部材の搬送方向両端部に臨むディスク保持部材の側面が、ディスク保持部材のカートリッジ保持搬送部材の搬送方向両端部に臨む側面が、ディスク保持空間に向けて折曲形成され、その折曲角度は、１８０度から軸を中心に回動するディスク保持部材の回動可能な角度を減算した角度であるので、軸を中心に回動するディスク保持部材の回動範囲を制限することが可能となり、その結果、ディスク保持部材は安定な状態で位置決めを行なうことが可能となる。
【００３６】
上記構成において、上記ディスク保持部材の上記ベアディスクに臨む面には、ディスク保護部材が形成されていてもよい。また、上記ディスク保持部材は、ディスク保護部材から構成されていてもよい。
【００３７】
この場合、ローディング機構によるローディングによってベアディスクやカートリッジに収納されたディスクの記録再生面に傷や汚れが生じるのを抑えるのに更に好ましい。
【発明の効果】
【００３８】
本発明に係るディスク装置によれば、挿入する媒体がカートリッジであるかベアディスクであるかは関係なくローディングすることができ、さらに、このローディングによってベアディスクやカートリッジに収納されたディスクの記録再生面に傷や汚れが生じるのを抑えることができる。
【発明を実施するための最良の形態】
【００３９】
以下、本発明の実施の形態について図面を参照して説明する。なお、以下に示す実施の形態では、ディスク装置として光ディスク装置に本発明を適用した場合を示すが、これに限定されるものではなく、ベアディスクおよびカートリッジに収納されたディスクから各種情報の記録再生を行なえるディスク装置であれば、ディスク装置の形態は変更可能であり、例えば磁気ディスク装置などの他の形態のディスク装置であってもよい。
【００４０】
本実施の形態にかかるスロットイン方式の光ディスク装置（以下、光ディスク装置という）には、図１に示すように、本体筐体（図示省略）にシャーシ１が設けられ、このシャーシ１の一側面１１に、各種情報の記録再生のうち少なくとも再生が可能な円板状のディスク単体（以下、ベアディスク２という）と、各種情報の記録再生のうち少なくとも再生が可能な円板状のディスク（以下、ディスク２という）が内部に収納されたカートリッジ３との両方を挿脱可能な挿脱口１２が設けられている。なお、本実施の形態では、ベアディスク２とディスク２とは同一の媒体を用いている。そのため、これらベアディスクとディスクとは共通の符号２を用いる。また、本実施の形態では、ディスク装置に光ディスク装置を適用しており、図１０〜１３に示すメカニズム８が設けられている。本実施の形態では、メカニズム８の説明を省略する。
【００４１】
シャーシ１には、図１に示すように、ベアディスク２をその外面２１で保持するディスク保持部材４と、カートリッジ３を保持するとともに、カートリッジ３を挿脱口１２と各種情報の記録再生のうち少なくとも再生を行なう位置（以下、装填位置１３という）との間で搬送させるカートリッジ保持搬送部材５が設けられている。また、ディスク保持部材４は、図１に示すように、カートリッジ保持搬送部材５内に設けられている。さらに、シャーシ１内には、ベアディスク２を挿入した際、ディスク保持部材４によりベアディスク２の形状に沿ったディスク保持空間６が形成される（図１（ａ）参照）。なお、ベアディスク２の外面２１は、記録再生面２２と外周縁２３とから構成されている。
【００４２】
ディスク保持部材４は、図１（ａ）、（ｃ）に示すように、一対で構成されている。この一対のディスク保持部材４は、カートリッジ保持搬送部材５の搬送方向（図１に示す矢印Ａ方向）両側部５１に対称配置されている。
【００４３】
この一対のディスク保持部材４は、図１（ｃ）に示すように断面略コの字形状に形成されている。この一対のディスク保持部材４の搬送方向両端部５１（カートリッジ保持搬送部材５）に臨む側面４１は、ディスク保持空間６に向けて折曲形成されて、図５（ａ）に示すように、側面４１の形状が略「く」の字形状に形成されている。なお、この略「く」の字形に折曲形成する折曲角度は、１８０度から下記する回動軸４２（本発明でいう軸）を中心に回動するディスク保持部材４の回動可能な角度を減算した角度であり、本実施の形態では、約１６０度に設定されている。そのため、ベアディスク２からの各種情報の記録再生状態におけるベアディスク２の外周縁２３とディスク保持部材４の内面４３（側面４１の対向面）との位置関係、すなわち、図１（ａ）、（ｃ）に示すディスク保持空間６は、カートリッジ３の内面３５と収納されたディスク２との関係に略一致するような寸法関係となっている。
【００４４】
この一対のディスク保持部材４には、それぞれカートリッジ保持搬送部材５の下記する案内溝５２に嵌まる回動軸４２が設けられている。この回動軸４２は、図示しない付勢機構により、排出方向（図５（ａ）に示す矢印Ｂ方向）に付勢されている。
【００４５】
また、一対のディスク保持部材４は、それぞれ回動軸４２（本発明でいう軸）を中心に回動される構成からなる（図５、６に示す矢印Ｄ参照）。
【００４６】
また、一対のディスク保持部材４には、図５、６に示すようなベアディスク２の挿入の際、ベアディスク２の挿入による一対のディスク保持部材４の回動軸４２を中心とした回動によりカートリッジ保持搬送部材５の下記する開口部５３を挿通する突起部４４が設けられている。この突起部４４は、図５、６に示すように、その先端４５が折曲形成されてかぎ状に形成されている（以下、突起部４４をかぎ状突起部という）。
【００４７】
また、一対のディスク保持部材４それぞれのかぎ状突起部４４の近傍には、バネ取付穴４６が設けられている。このバネ取付穴４６には引っ張りバネ７（本発明でいうバネ）が取り付けられ、一対のディスク保持部材４が連結される。また、一対のディスク保持部材４は、引っ張りバネ７により常に挿入したベアディスク２を外部に排出するよう排出方向（図１に示す矢印Ｂ方向）に付勢されている。
【００４８】
また、一対のディスク保持部材４のベアディスク２に臨む面４７には、図１（ｃ）に示すように、ディスク保護部材４８として不織布が貼り付けられている。
【００４９】
カートリッジ保持搬送部材５には、図１（ａ）に示すように、挿脱口１２と装填位置１３との間の搬送方向（図１に示す矢印Ａ方向）に沿ってディスク保持部材４の回動軸４２を摺動させる案内溝５２が設けられている。また、カートリッジ保持搬送部材５の搬送方向（矢印Ａ方向）両側部５１には開口部５３が形成されている。さらに、カートリッジ保持搬送部材５には、開口部５３が設けられた搬送方向両側部５１に舌部５４が設けられている。
【００５０】
シャーシ１には、かぎ状突起部４４が開口部５３を挿通した際に、かぎ状突起部４４の先端４５が係合する係合部材１４と、ローディング機構（図示省略）の電源をオンオフさせるスイッチ１５と、が設けられている。
【００５１】
スイッチ１５は、ホトインタラプタで形成されており、図４に示すように、かぎ状突起部４４が所定の位置（図２に示す位置）に移動（回動軸４２を中心とした回動）した時に、かぎ状突起部４４によりホトインタラプタの光路が遮断され、スイッチ１５がＯＮ状態となってローディング機構の電源がオンとなる。
【００５２】
次に、上記した光ディスク装置へのベアディスク２およびカートリッジ３のローディングおよびアンローディング動作を、図１〜９を用いて以下に説明する。
【００５３】
まず、光ディスク装置へのベアディスク２のローディングおよびアンローディング動作を以下に説明する。
【００５４】
図１、５に示すように、ユーザの手により、光ディスク装置へベアディスク２を挿脱口１２から挿入すると（矢印Ｃ方向）、その矢印Ｃ方向への挿入力によって、一対のディスク保持部材４がそれぞれ回動軸４２を中心にして回動される（矢印Ｄ方向）。そして、かぎ状突起部４４が開口部５３を挿通し、かぎ状突起部４４の先端４５が係合部材１４に係合される（図２、６参照）。この時、一対のディスク保持部材４の回動にともなって引っ張りバネ７が伸長する方向に伸びる。
【００５５】
図２、６に示す状態にベアディスク２が配されると、すなわち、かぎ状突起部４４の先端４５が係合部材１４に係合されると、図４に示すように、一対のディスク保持部材４のかぎ状突起部４４によってスイッチ１５がオンとなり、ローディング機構の電源がオンとなる。このローディング機構の電源がオンとなることにより、カートリッジ保持搬送部材５が挿入方向（矢印Ｃ方向）に移動し、この移動にともなってベアディスク２と一対のディスク保持部材４とは装填位置に搬送され、図１０〜１３に示すメカニズム８により図３に示す装填位置１３にベアディスク２が配される。すなわち、ピックアップ８１とスピンドルモータ８２等を搭載するメカニズム８が矢印上方向（図１３参照）へ上昇し、ベアディスク２がスピンドルモータ８２にチャッキングされる。
【００５６】
そして、スピンドルモータ８２にチャッキングされたベアディスク２は、記録再生可能な状態となり、ベアディスク２から各種情報の記録再生が行われる。
【００５７】
ベアディスク２から各種情報の記録再生が行われた後、メカニズム８が矢印下方向（図１２参照）へ下降し、ベアディスク２へのスピンドルモータ８２によるチャッキングが解除される。
【００５８】
チャッキング解除されたベアディスク２は、カートリッジ保持搬送部材５の排出方向（矢印Ｂ方向）への移動にともなって搬送されて、図２に示す位置に配される。
【００５９】
ベアディスク２が図２に示す位置に配されると、図５に示すように、かぎ状突起部４４が係合部材１４と接触し、この接触により一対のディスク保持部材４は挿入方向（矢印Ｃ方向）に押圧される。この押圧と同時に、引っ張りバネ７の排出方向（矢印Ｂ方向）への付勢力により一対のディスク保持部材４が回動軸４２を中心にして回動される。この時、スイッチ１５はオフとなり、ローディング機構の電源がオンとなる。そして、ベアディスク２が排出されて図１に示す位置に配される。また、この時、引っ張りバネ７の付勢力の強度調整により、ベアディスク２を挿脱口１２から本体筐体外へ排出させることも可能である。
【００６０】
次に、光ディスク装置へのカートリッジ３のローディングおよびアンローディング動作を以下に説明する。なお、カートリッジ３のシャッターオープン機構については、本発明の主旨とは直接関係がないため、その説明は省略する。
【００６１】
図７に示すように、ユーザの手により、光ディスク装置へカートリッジ３を挿脱口１２から挿入すると（矢印Ｃ方向）、カートリッジ３の挿入側先端面３２により、カートリッジ３の挿入に伴って一対のディスク保持部材４が挿入方向（矢印Ｃ方向）に押出される。
【００６２】
このカートリッジ３の一対のディスク保持部材４への押出により、回動軸４２がカートリッジ保持搬送部材５に設けた案内溝５２に沿って回転せずに挿入方向（矢印Ｃ方向）へ押出される。そして、回動軸４２が案内溝５２の終端（挿入方向先端）に押出されると、図８に示す状態にカートリッジ３が配される。
【００６３】
図８に示す状態にカートリッジ３が配された後に更にカートリッジ３を挿入方向（矢印Ｃ方向）へ押出すと、カートリッジ保持搬送部材５がカートリッジ３とともにわずかに押出され、カートリッジ保持搬送部材とともに舌部５４が挿入方向（矢印Ｃ方向）に移動する。この舌部５４の移動により、ホトインタラプタで形成されたスイッチ１５がオンとなり、ローディング機構の電源がオンとなる。このローディング機構の電源がオンとなることにより、カートリッジ保持搬送部材５が挿入方向（矢印Ｃ方向）に移動し、この移動にともなってカートリッジ３が装填位置１３に搬送され、図１０〜１３に示すメカニズム８により図９に示す装填位置１３に配される。すなわち、ピックアップ８１とスピンドルモータ８２等を搭載するメカニズム８が矢印上方向（図１１参照）へ上昇し、カートリッジ３に収納されたディスク２がスピンドルモータ８２にチャッキングされる。この時、一対のディスク保持部材４は、カートリッジの挿入側先端面３６によって押出されている。
【００６４】
そして、スピンドルモータ８２にチャッキングされたディスク２は、記録再生可能な状態となり、ディスク２から各種情報の記録再生が行われる。
【００６５】
ディスク２から各種情報の記録再生が行われた後、メカニズム８が矢印下方向（図１０参照）へ下降し、カートリッジ３に収納されたディスク２へのスピンドルモータ８２によるチャッキングが解除される。
【００６６】
チャッキング解除されたディスク２が収納されたカートリッジ３は、回動軸４２の排出方向（矢印ｂ方向）への付勢機構による付勢力により、カートリッジ保持搬送部材５と  の排出方向（矢印Ｂ方向）への移動にともなって搬送されて、図８に示す位置に配される。この時、スイッチ１５はオフとなり、ローディング機構の電源がオフとなる。そして、カートリッジ３が図８に示す位置に配されると、ユーザによって挿脱口１２から排出する（図７参照）。
【００６７】
上記したように、本実施の形態にかかる光ディスク装置によれば、ディスク保持部材４が設けられ、ベアディスク２を挿入した際、本体筐体内にはディスク保持部材４によりベアディスク２の形状に沿ったディスク保持空間６が形成されるので、挿入する媒体がカートリッジ３であるかベアディスク２であるかは関係なくローディングすることができる。さらに、ローディングによってベアディスク２やカートリッジ３に収納されたディスク２の記録再生面２２に傷や汚れが生じるのを抑えることができる。
【００６８】
また、カートリッジ保持搬送部材５が設けられ、かつ、このカートリッジ保持搬送部材５内にディスク保持部材４が設けられ、カートリッジ３を挿入する場合、カートリッジ３の挿入に伴ってカートリッジ３の挿入側先端面３６によりディスク保持部材４が挿入方向（例えば、図７に示す矢印Ｃ方向）に押出されるので、挿入する媒体がカートリッジ３であるかベアディスク２であるかは関係なく同一の挿脱口１２から挿入することができる。
【００６９】
また、ディスク保持部材４は一対で構成され、この一対のディスク保持部材４はカートリッジ保持搬送部材５の搬送方向（例えば、図１に示す矢印Ａ方向）両側部５１に設けられ、カートリッジ保持搬送部材５には、一対のディスク保持部材４を摺動させる案内溝５２が設けられ、一対のディスク保持部材４には、それぞれ案内溝５２に嵌める回動軸４２が設けられているので、挿入する媒体がカートリッジ３であるかベアディスク２であるかは関係なく一対のディスク保持部材４とカートリッジ保持搬送部材５により共通のローディングを行なうことができる。
【００７０】
また、一対のディスク保持部材４は、引っ張りバネ７によって連結されるとともに回動軸４２を中心に回動され、かつ、引っ張りバネ７により排出方向（例えば、図１に示す矢印Ｂ方向）に付勢されているので、ベアディスク２を挿脱口１２から排出する際、引っ張りバネ７の付勢力により一対のディスク保持部材４が回動軸４２を中心に回動されてベアディスク２を挿脱口１２から排出させることが更に容易となる。
【００７１】
また、カートリッジ保持搬送部材５の搬送方向（例えば、図１に示す矢印Ａ方向）両側面４１には開口部５３が形成され、一対のディスク保持部材４には、かぎ状突起部４４が設けられ、かぎ状突起部４４は、その先端４５が折曲形成され、かぎ状突起部４４が開口部５３を挿通した際に、かぎ状突起部４４の先端４５が係合する係合部材１４が設けられているので、引っ張りバネ７の付勢力により一対のディスク保持部材４が回動軸４２を中心に回動されてベアディスク２挿入時にベアディスク２が挿脱口１２から排出されるのを防止することができる。
【００７２】
また、ローディング機構の電源をオンオフさせるスイッチ１５が設けられ、かつ、カートリッジ保持搬送部材５に舌部５４が設けられ、ベアディスク２の挿脱の際、かぎ状突起部４４の先端４５の係合部材１４への係合によってスイッチ１５によるローディング機構の電源のオンオフがされ、カートリッジ３の挿脱の際、カートリッジ保持搬送部材５の搬送方向（例えば、図７に示す矢印Ａ方向）の往復移動に伴う舌部５４によってスイッチ１５によるローディング機構の電源のオンオフがされるので、挿入する媒体がカートリッジ３であるかベアディスク２であるかは関係なくスイッチ１５によるローディング機構の電源のオンオフができる。
【００７３】
また、カートリッジ保持搬送部材５の搬送方向両端部５１に臨む一対のディスク保持部材４の側面４１が、ディスク保持空間６に向けて折曲形成され、その折曲角度は、１８０度から回動軸４２を中心に回動する一対のディスク保持部材４の回動可能な角度を減算した角度であるので、回動軸４２を中心に回動する一対のディスク保持部材４の回動範囲を制限することができる。そのため、一対のディスク保持部材４は安定な状態で位置決めを行なうことが可能となる。
【００７４】
また、一対のディスク保持部材４のベアディスク２に臨む面４７には、ディスク保護部材４８が形成されているので、ローディング機構によるローディングによってベアディスク２やカートリッジ３に収納されたディスク２の記録再生面２２に傷や汚れが生じるのを抑えるのに更に好ましい。
【００７５】
なお、本実施の形態では、ベアディスク２およびカートリッジ３に収納されたディスク２から各種情報の記録再生を行なえる光ディスク装置を用いているが、これに限定されるものではなく、各種情報の再生のみを行なえる光ディスク装置を用いてもよい。
【００７６】
また、本実施の形態では、便宜上、ベアディスク２とカートリッジ３に収納されたディスクとに関して同一のディスク２を用いたが、これに限定されるものではなく、異なる種類や形態のものであってもよい。
【００７７】
また、本実施の形態では、シャーシ１内にディスク保持部材４とカートリッジ保持搬送部材５とが設けられているが、これに限定されるものではなく、ディスク保持部材４とカートリッジ保持搬送部材５との配置は、光ディスク装置の本体筐体内であれば任意に設計変更可能である。
【００７８】
また、本実施の形態では、ディスク保持部材４はベアディスク２の外面２１を連続的に保持しているが、これに限定されるものではなく、間隙を設けて断続的にベアディスク２の外面２１を保持してもよい。また、ベアディスク２を保持可能に、外面２１のうち保持する部分をランダムに設定してもよい。
【００７９】
また、本実施の形態では、ディスク保持部材４によりベアディスク２の記録再生面２２を、図１（ａ）、（ｃ）に示すような保持割合で保持しているが、これに限定されるものではなく、ベアディスク２の配置がディスク保持空間６からずれず、予め設定した装填位置１３に配することが可能であれば、他の割合で保持してもよい。すなわち、ベアディスク２の記録再生面２２を保持する部分のディスク保持部材４の形状を変更してもよい。
【００８０】
また、本実施の形態では、ディスク保持部材４は一対で構成されているが、ディスク保持部材４によりベアディスク２形状に沿ったディスク保持空間６であれば、ディスク保持部材４は、３つ以上のディスク保持部材から構成されてもよい。
【００８１】
また、本実施の形態では、スイッチは、ホトインタラプタで形成されているが、これに限定されるものではなく、ベアディスク２およびカートリッジ３の挿入に連動してスイッチ１５によってローディング機構の電源のオンオフをするものであれば、例えば、接触部材によるスイッチへの接触によりローディング機構の電源をオンオフするよう構成されてもよい。
【００８２】
また、本実施の形態では、ディスク保持部材４のベアディスク２に臨む面４７に、ディスク保護部材４８として不織布が貼り付けられているが、これに限定されるものではなく、ディスク２に傷がつかないようにするディスク保護部材が形成されていれば好ましい。また、例えば、ディスク保持部材自体が、例えばポリアセタール樹脂、テフロンなどのディスク保護部材から構成されていてもよい。
【００８３】
また、本実施の形態では、カートリッジ保持搬送部材５の舌部５４は搬送方向両側部５１に設けられているが、これに限定されるものではなく、搬送方向両側部のうち少なくとも一方に舌部が設けられていればよい。
【産業上の利用可能性】
【００８４】
本発明は、ディスクが収納されたカートリッジと、ベアディスクとの両方の媒体をローディングするディスク装置に適用できる。特に、スロット方式のディスク装置に好適であり、さらに、カートリッジに収納されたディスクおよびベアディスクが光ディスクである場合に好適である。
【図面の簡単な説明】
【００８５】
【図１】（ａ）は、本実施の形態にかかる、ベアディスクが挿脱口から挿入した状態を示す光ディスク装置の概略平面図であり、（ｂ）は、その側面図であり、（ｃ）は、図１（ａ）に示すＸ−Ｘ線断面図である。
【図２】本実施の形態にかかる、ベアディスクがディスク保持部により保持された状態を示す光ディスク装置の概略平面図である。
【図３】本実施の形態にかかる、ベアディスクが装填位置に配された状態を示す光ディスク装置の概略平面図である。
【図４】図２に示すＹ−Ｙ線断面図である。
【図５】（ａ）は、図１（ａ）に示すディスク保持部とカートリッジ保持搬送部との要部拡大図であり、（ｂ）は、その側面図である。
【図６】図２に示すディスク保持部とカートリッジ保持搬送部との要部拡大図である。
【図７】（ａ）は、本実施の形態にかかる、カートリッジを挿脱口から挿入する際もしくはカートリッジを排出した際の光ディスク装置の概略平面図であり、（ｂ）は、本実施の形態にかかるカートリッジ保持搬送部材の側面図である。
【図８】本実施の形態にかかる、カートリッジがカートリッジ保持搬送部により保持された状態を示す光ディスク装置の概略平面図である。
【図９】本実施の形態にかかる、カートリッジが装填位置に配された状態を示す光ディスク装置の概略平面図である。
【図１０】（ａ）は、従来のカートリッジが開口部に配された状態のスロットイン方式の光ディスク装置の概略平面図であり、（ｂ）は、その正面図であり、（ｃ）は、その側面図である。
【図１１】従来のカートリッジが装填位置に配された状態のスロットイン方式の光ディスク装置の概略側面図である。
【図１２】（ａ）は、従来のベアディスクが開口部に配された状態のスロットイン方式の光ディスク装置の概略平面図であり、（ｂ）は、その正面図であり、（ｃ）は、その側面図である。
【図１３】従来のベアディスクが装填位置に配された状態のスロットイン方式の光ディスク装置の概略側面図である。
【符号の説明】
【００８６】
１２  挿脱口
１３  装填位置
１４  係合部材
１５  スイッチ
２  ベアディスク（ディスク単体）、ディスク
２１  ベアディスク（ディスク単体）の外面
３  カートリッジ
３６  カートリッジの挿入側先端面
４  ディスク保持部材
４１  ディスク保持部材の側面
４２  回動軸（軸）
４４  かぎ状突起部（突起部）
４５  かぎ状突起部（突起部）の先端
４７  ディスク保持部材のベアディスク（ディスク単体）に臨む面
４８  ディスク保護部材
５  カートリッジ保持搬送部材
５１  カートリッジ保持搬送部材の搬送方向両側部
５２  案内溝
５３  開口部
５４  舌部
６  ディスク保持空間
７  引っ張りバネ（バネ）
Ａ方向  搬送方向
Ｂ方向  排出方向
Ｃ方向  挿入方向
【図１】
2005149615.tif 000003
【図２】
2005149615.tif 000004
【図３】
2005149615.tif 000005
【図４】
2005149615.tif 000006
【図５】
2005149615.tif 000007
【図６】
2005149615.tif 000008
【図７】
2005149615.tif 000009
【図８】
2005149615.tif 000010
【図９】
2005149615.tif 000011
【図１０】
2005149615.tif 000012
【図１１】
2005149615.tif 000013
【図１２】
2005149615.tif 000014
【図１３】
2005149615.tif 000015